(57)【要約】【課題】  ゴルフのパッティング練習においてゴルフボールの転がり軌道が直線的のみならず曲線を描いて曲がるように改良したゴルフボールを提供する。【解決手段】  ゴルフボールの表面から中心に向かって高比重の金属円柱を、上面に突出せずかつ表面に近い部分に埋設することを特徴とする。【選択図】図２
2011177479.tif 000002
【特許請求の範囲】
ゴルフボールの表面から中心に向かって高比重の金属円柱を、表面に突出せずかつ表面に近い部分に埋設したことを特徴とするパッティング練習用ゴルフボール。
【発明の詳細な説明】
【技術分野】
【０００１】  本発明はゴルフボールに関し、より詳細にはパッティング練習においてその転がり軌道が直線のみならず曲線を描くように改善したパッティング練習用ゴルフボールに関する。
【背景技術】
【０００２】  一般にゴルフにおいて、パッティングの練習をゴルフ場以外においてする時、練習用の人工マットや絨毯、畳の上でするのが通例である。この場合通常のゴルフボールでは直線的な転がりのためパッティングの距離感や直線的な方向性を習得するのに止まる。しかしながら実際のゴルフ場のパッティンググリーンは平坦ではなく、また芝目もあり決して直線的な転がりだけではなく左右への曲がりが生じる。
【発明の開示】
【発明が解決しようとする課題】
【０００３】  上述したように通常のパッティング練習では、直線的な転がりのみで左右へのボールの曲がりをイメージすることが難しい。【０００４】  本発明はボールに左右への曲がりを実現させ、ボールの曲がり軌道のイメージを習得し、実際のグリーンでのパッティングに役立たせることを目的とする。
【課題を解決するための手段】
【０００５】  本発明は、上記目的を達成するため次の構成を備える。すなわち通常のゴルフボールの表面から中心に向かって高比重の金属円柱を、表面に突出せずかつ表面に近い部分に埋設するのである。
【発明の効果】
【０００６】  本発明に係るゴルフボールによれば、高比重の金属円柱を表面近くに埋設したことによりゴルフボールの重心が中心から外れ、このゴルフボールをセットする位置を変化させることによってパッティングでさまざまな曲がりの転がり軌道が得られるのである。
【発明を実施するための最良の形態】
【０００７】以下、本発明の好適な実施の形態を、添付図面にしたがって詳細に説明する。【０００８】  図１は、本発明に係るゴルフボールの金属円柱の埋設方法を示す外観図で図２は埋設後の断面図である。ゴルフボール１に金属円柱２が嵌合する径の穴３をゴルフボールの中心４に向かってあけ、穴３に金属円柱２をはめ込む。この時穴３の深さは金属円柱２がゴルフボール１の表面に突出せずかつ表面から０．５〜１ｍｍほど入り込む深さとする。【０００９】  ゴルフボール１の表面に金属円柱２が突出すると、転がりの際金属円柱２の部分が底面に達すると不規則な回転が生じ好ましくない。またあまり深く埋設すると、重心がゴルフボール１の中心に近づき曲がりが弱くなってしまう。【００１０】  本実施形態においては、金属円柱２として６ｍｍφの黄銅丸棒を使用したが、できるだけ高比重の金属丸棒を使用することが望ましい。これは同一重量の金属円柱を得る際、高比重の金属のほうが金属円柱の長さを抑えられるからである。低比重金属の場合金属円柱２の長さが長くなり、重心がゴルフボール１本来の重心位置に近づいてしまい曲がりが弱くなってしまう。【００１１】  金属円柱２の重量は２ｇｒ〜４ｇｒが適当である。これより軽いと転がりの曲がり軌道が小さく、重いと曲がり軌道が大きすぎてパッティング練習には向かない。【００１２】  金属円柱２としてその外径寸法は５ｍｍφ〜７ｍｍφが適当である。外径寸法がこれより小さいと所定の重量を得るのに長さが長くなってしまい前述のように曲がりが小さくなってしまう。また外径寸法が大きいと、金属円柱２の部分が底面に達した時不規則な回転が生じやすい。【００１３】  本実施形態で採用した６ｍｍφの黄銅丸棒の場合、２ｇｒ〜４ｇｒの重量を得るのに金属円柱２の長さは概略８ｍｍ〜１６ｍｍとなる。ここで、黄銅の比重は８．６３とした。【００１４】  図３は、本発明品に係る更なる実施形態を示す外観図で、図４はその断面図である。ゴルフボール１に埋設した金属円柱２とゴルフボール１の中心４を結んだ方向に対し直角方向のゴルフボール１の表面上に面状のマーキング表示５を施すことを特徴としたもので、一般的には円形で表示する。【００１５】上記の実施形態により、マーキング表示５を最頂部にセットすると、金属円柱２がゴルフボール１の真横に必ず位置することになり、再現性の高いパッティング練習を可能とする。【００１６】また図５の外観図はゴルフボール１の金属円柱２の表面部分とマーキング表示５とを最短で結ぶ線状のマーキング表示６をゴルフボール１の表面に施すことを特徴とする。【００１７】  上記の実施形態により、マーキング表示５を最頂部にセットした際に線状のマーキング表示６によって金属円柱２の方向を常に管理することが可能となる。【００１８】  マーキング表示５の色と大きさ、マーキング表示６の色と太さは適宜であるが、容易に識別できることが望ましい。【００１９】  またマーキング表示６の線状は一般的な実線以外でも破線、ロゴマーク、数字、ローマ字等でも構わない。
【具体的実施例】
【００２０】  本発明品を具体に実施するにあたり、以下の条件で実施した。
１、  本発明品に使用するゴルフボール１は公認球とした。
２、  本発明品に使用する金属円柱２は外径６ｍｍφの黄銅丸棒で、長さは８ｍｍ（試験品Ａ）と１６ｍｍ（試験品Ｂ）の２種類を試験用に供した。なお、いずれもゴルフボール１の表面より１ｍｍの深さまで埋設し、透明樹脂で固着した。
３、  本発明品の面状のマーキング表示５は直径３ｍｍの円形とし、彩色は黒で行った。
４、  本発明品の線状のマーキング表示６は幅２ｍｍの実線とし、彩色は黒で行った。
【評価試験方法】
【００２１】（試験準備−１）
本発明品の試験準備として平坦な床に図７に示すように市販のパッティング練習用マット１０を設置した。
【００２２】（試験準備−２）
本発明品をセットするため、図６に図示したように厚さ１ｍｍ、半径６０ｍｍφのフェルト製の円板７の中心にゴルフボールをセットするための８ｍｍφの穴８をあけ、円板７の先端に目印９ａを、また目印９ａと穴８を結ぶ直線から左右それぞれ、３０度の角度に目印９ｂ、９ｃを、６０度の角度に目印９ｄ，９ｅを、９０度の角度に目印９ｆ，９ｇを円板７の先端に印し、円板７を図７のようにパッティング練習用マット１０の打ち出し起点に目印９ａが前方に位置するように固定した。
【００２３】（試験準備−３）
次に円板７の穴８と目印９ａを通る延長線上のマット１０の１ｍ、２ｍ、３ｍの位置にそれぞれ１１ａ，１１ｂ，１１ｃの目印をつけた。
【００２４】（試験方法）
本発明品の試験方法は以下の通りである。
１、  本発明品を円板７の穴８に、必ず面状のマーキング表示５が最頂部にくるようにセットする。
２、  パッティングは一般のパターを用いて、必ず穴８から目印９ａを経由し、マット１０の目印１１ａ，１１ｂ，１１ｃに向かって行う。
３、  線状のマーキング表示６を円板７の左右３０度、６０度、９０度につけた目印９ｂ，９ｃ，９ｄ，９ｅ，９ｆ，９ｇに向けて本発明品をセットし、各１ｍ、２ｍ、３ｍより３０ｃｍほどの転がり距離となるように上記２項のパッティングを行い、マット１０の目印１１ａ，１１ｂ，１１ｃと穴９を結んだ半径上を通過した位置でそれぞれの目印からの左右への曲がりの距離を測定する。
４、  ここでパッティングの距離を目印より３０ｃｍほど多めにするのは、実際のグリーン上でカップインさせるためには、カップを通過する強さが必要だからである。
５、  ，上記パッティングにおいて適正な距離で転がりを停止した場合のみ曲がりの距離を測定するものとし、同一角度、同一目標距離で左右それぞれ５回の測定を行い、合計１０回の測定値の平均を求め、曲がりの距離とする。
６、  上記試験は試験品Ａ、試験品Ｂそれぞれを各５個を用意し実施した。
【００２５】（本発明品の転がり軌道）
本発明品の転がりの軌道は目印９ａにマーキング表示６を合わせた場合、直線となり、時計方向にマーキング表示６を回転させるに従い右への曲がり軌道となり、９ｆの位置で最大の曲がりとなる。反時計方向では逆に左への曲がり軌道となる。また、その軌道は打ち出し時には直線的に転がり、回転速度が弱くなるにつれて曲がりが大きくなる。図８はその転がり軌道の概略説明図で、１２ａがマーキング表示６を目印９ａに、１２ｂは目印９ｂに、１２ｄは目印９ｄに、１２ｆは目印９ｆにそれぞれ合わせた場合である。
【試験結果】
【００２６】
【表１】
2011177479.tif 000003
【００２７】  表１が各条件での試験結果を示す。いずれも本発明品の所定の目的が達成された。これにより本発明品を利用しパッティング練習で曲がりの転がり軌道をイメージでき、実際のゴルフ場でのラウンドに大きく役立つものである。
【図面の簡単な説明】
【００２８】
【図１】金属円柱を埋設するための穴を有したゴルフボールと金属円柱の外観図である。
【図２】図１に金属円柱を埋設した断面図である。
【図３】図２に示すゴルフボールに面状のマーキング表示をした外観図である。
【図４】図２の断面図である。
【図５】図３に示すゴルフボールに線状のマーキング表示をした外観図である。
【図６】ゴルフボールをセットするための円板の平面説明図である。
【図７】床に設置したマットの目印の概略平面説明図である。
【図８】本試験によるゴルフボールの転がり軌道の概略平面説明図である。
【符号の説明】
【００２９】１    ゴルフボール
２    金属円柱
３    埋設用の穴
４    ゴルフボールの中心
５    面状マーキング表示
６    線状マーキング表示
７    ボールセット用円板
８    ボールセット用穴
９ａ，９ｂ，９ｃ．９ｄ，９ｅ，９ｆ，９ｇ    方向指示表示
１０  マット
１１ａ，１１ｂ．１１ｃ    距離目印
１２ａ，１２ｂ，１２ｄ，１２ｆ    転がり軌道
【図１】
2011177479.tif 000004
【図２】
2011177479.tif 000005
【図３】
2011177479.tif 000006
【図４】
2011177479.tif 000007
【図５】
2011177479.tif 000008
【図６】
2011177479.tif 000009
【図７】
2011177479.tif 000010
【図８】
2011177479.tif 000011